(57)【要約】      （修正有）【課題】省施工性や省コスト性を確保しながら通気層における通気性を確保することができる目地材及びこれを用いた外壁構造を提供する。【解決手段】壁下地１の表面側に通気層６を介して外装材７を配設し、外装材７と外装材７の間又は外装材７と役物との間に形成される隙間８にシーリング材９を充填して防水処理をするにあたり、目地材Ａは隙間８に対応する壁下地１に固定される固定片２と、固定片２から前方に突出する脚片３と、脚片３の前端に設けられるシール受け片４とを備え、脚片３には通気層６に貫通する通気孔５を設ける。【選択図】図２
2010106638.tif 000002
【特許請求の範囲】
【請求項１】
壁下地に固定される固定片と、固定片から前方に突出する脚片と、脚片の前端に設けられるシール受け片とを備え、脚片を貫通する通気孔を設けて成ることを特徴とする目地材。
【請求項２】
壁下地の表面側に通気層を介して外装材を配設し、外装材と外装材との間又は外装材と役物との間に形成される隙間にシーリング材を充填して防水処理をしてなる外壁構造であって、隙間に対応する壁下地の表面側に請求項１に記載の目地材の固定片を固定することによって目地材を壁下地に取り付け、通気層に通気孔を有する脚片を位置させると共に、隙間に目地材のシール受け片を配置し、シール受け片の表面側において隙間にシーリング材を充填して成ることを特徴とする外壁構造。
【発明の詳細な説明】
【技術分野】
【０００１】
本発明は、通気層を有する外壁を形成するための目地材及びこれを用いた外壁構造に関するものである。
【背景技術】
【０００２】
従来より、図８に示すような外壁構造が提案されている。符号５０は基礎であって、その上には土台５１が形成されており、また土台５１の上には複数本の柱５２や間柱５３が立設されている。また、隣り合う柱５２や間柱５３の間には断熱材５４が配置されていると共に柱５２と間柱５３と断熱材５４の表面側（屋外側）には透湿防水シート５５が設けられている。さらに、透湿防水シート５５の表面側（屋外側）には横方向に長い複数本の横胴縁５６が縦方向に並べて設けられている。そして、横胴縁５６の表面側（屋外側）には複数枚のサイディングなどの外装材５７が縦横に並べて取り付けられている。このようにして家屋等の外壁を形成することができる。尚、横胴縁でなく、縦胴縁を用いる場合もある。
【０００３】
このような外壁において、図９（ａ）（ｂ）に示すように、上下に隣り合う外装材５７、５７の間には横方向に長い目地５８が形成されるが、この目地５８にはシーリング材５９が充填されて防水性が確保されている。この場合、目地材Ａを用いてシーリング材５９を施工する。すなわち、目地材（ジョイナー）Ａは断面略ハット状で横方向に長尺に形成されており、コ字状の受け部６０と、受け部６０から上方と下方に延出される固着片６１、６１とを備えて形成されており、固着片６１を横胴縁５６の表面に固定して横胴縁５６の表面側に目地材Ａを配設する。そして、この目地材Ａの受け部６０を挟んでその上側と下側に外装材５７、５７をそれぞれ配置することによって、外装材５７、５７の上端面と下端面との間に横方向に長い目地５８を形成し、受け部６０の表面側において目地５８の全長にわたってシーリング材５９を充填するようにしている。
【０００４】
図１０（ａ）（ｂ）に軒天部の構造を示す。符号６２は柱５２の上に設けられた梁であり、この梁６２の上に母屋６３、野地板６４、屋根材６５を配設して屋根が形成されている。梁６２の表面側（屋外側）には上記と同様の透湿防水シート５５が設けられており、透湿防水シート５５の表面側（屋外側）には上記と同様の横胴縁５６が設けられている。また、上記と同様に横胴縁５６の表面側（屋外側）には外装材５７が取り付けられているが、外装材５７の上端には見切り縁６６が設けられている。そして、母屋６３の下に設けた桟材６７に軒天井板６８が取り付けられている。
【０００５】
しかし、上記の外壁では、通気構造を形成する場合（例えば、特許文献１参照）に、目地材Ａにより透湿防水シート５５と外装材５７の間の空間が上下に分断されるので、透湿防水シート５５と外装材５７の間の空間を通気層として形成することができないという問題があった。そこで、目地材の裏側に通気層を形成するための胴縁下地などを設けることも考えられるが、施工に手間がかかるという問題があった。
【０００６】
図１１に他の従来例の外壁構造を示す。この従来例は横張り通気金具留め工法により外装材５７を横張りで施工している。つまり、上記と同様に、基礎５０の上の土台５１に立設された柱５２や間柱５３に透湿防水シート５５を介して通気金具７０及び通気金具スタータ７１を取り付け、この通気金具７０及び通気金具スタータ７１に外装材５７の上端又は下端を保持するようにしている。この場合、通気金具７０及び通気金具スタータ７１により外装材５７と透湿防水シート５５の間に通気層７２としての空間が形成される。尚、図中の符号７３はハット型ジョイナー、７４は土台水切り、７５は入隅捨て水切り、７６は外装材５７と同質の出隅部材である。図１２（ａ）（ｂ）に図１１の外壁構造における軒天部の詳細を示す。この場合、通気層７２を軒天部で外気と通じさせるために、軒天井板６８を取り付けた桟材６７と透湿防水シート５５との間に補助胴縁７３を設け、桟材６７と透湿防水シート５５との間に隙間を設けている。また、軒天井板６８の下面と外装材５７の上端との間にはシーリング材５９が充填されているが、シーリング材５９はバックアップ材７７により支持されている。
【０００７】
図１３に他の従来例の外壁構造を示す。この従来例は縦張り通気金具留め工法により外装材５７を縦張りで施工している。つまり、上記と同様に、基礎５０の上の土台５１に立設された間柱５３に構造用合板８１を設け、構造用合板８１の屋外面に透湿防水シート５５を介して通気金具７０及び通気金具スタータ７１を取り付け、この通気金具７０に外装材５７の側端部を保持し、通気金具スタータ７１により外装材５７の下端を保持するようにしている。この場合、通気金具７０及び通気金具スタータ７１により外装材５７と透湿防水シート５５の間に通気層７２としての空間が形成される。図１４（ａ）（ｂ）に図１３の外壁構造における軒天部の詳細を示す。この場合、通気層７２を軒天部で外気と通じさせるために、軒天井板６８を取り付けた桟材６７と透湿防水シート５５との間に補助胴縁７３を設け、桟材６７と透湿防水シート５５との間に隙間を設けている。図１５（ａ）（ｂ）に図１３の外壁構造における中間部分の詳細を示す。この場合、通気層７２を通気金具スタータ７１の上下で連通させるために、通気金具スタータ７１に上下に貫通する貫通孔８２を形成する。また、外装材５７と透湿防水シート５５との間にスペーサ７９を設け、桟材６７と透湿防水シート５５との間に隙間を設けている。また、上下に隣接する外装材５７の間にはシーリング材５９が充填されているが、シーリング材５９はハット型ジョイナー（片側タイプ）８０により支持され、ハット型ジョイナー８０はスペーサ７９により支持されている。
【０００８】
上記のように、横張り通気金具留め工法や縦張り通気金具留め工法では、通気層７２の通気性を確保するために、横目地部や軒天部に補助胴縁７３・バックアップ材７７・ハット型ジョイナー８０を使用している。しかし、通気金具７０で留めているために、補助胴縁７３が必要であり、部品点数が増加し、また、バックアップ材７７やハット型ジョイナー８０を用いているため、施工精度にばらつきが生じ、しかも通気層７２にバックアアップ材７７やハット型ジョイナー８０が入り込んで正確な寸法が確保できないことがあり、施工に手間がかかったりコストアップにつながるおそれがあった。
【特許文献１】特許第３３２１３７６号公報
【発明の開示】
【発明が解決しようとする課題】
【０００９】
本発明は上記の点に鑑みてなされたものであり、省施工性や省コスト性を確保しながら通気層における通気性を確保することができる目地材及びこれを用いた外壁構造を提供することを目的とするものである。
【課題を解決するための手段】
【００１０】
本発明の請求項１に係る目地材Ａは、壁下地１に固定される固定片２と、固定片２から前方に突出する脚片３と、脚片３の前端に設けられるシール受け片４とを備え、脚片３を貫通する通気孔５を設けて成ることを特徴とするものである。
【００１１】
本発明の請求項２に係る外壁構造は、壁下地１の表面側に通気層６を介して外装材７を配設し、外装材７と外装材７との間又は外装材７と役物１９との間に形成される隙間８にシーリング材を充填して防水処理をしてなる外壁構造であって、隙間８に対応する壁下地１の表面側に請求項１に記載の目地材Ａの固定片２を固定することによって目地材Ａを壁下地１に取り付け、通気層６に通気孔５を有する脚片３を位置させると共に、隙間８に目地材Ａのシール受け片４を配置し、シール受け片４の表面側において隙間８にシーリング材９を充填して成ることを特徴とするものである。
【発明の効果】
【００１２】
請求項１、２の発明では、脚片３により仕切られたそれぞれの空間を通気孔５により連通させることができ、脚片３により通気が遮られることが無くなって、通気層６における通気性を確保することができるものである。また、目地材Ａを壁下地１に直接固定することにより、補助胴縁を必要とせず、しかも、シール受け片４に直接シーリング材を施すことにより、バックアップ材が必要でなく、部品点数の削減や精度良く施工することができ、省施工性や省コスト性を確保することができるものである。
【発明を実施するための最良の形態】
【００１３】
以下、本発明を実施するための最良の形態を説明する。
【００１４】
図１に本発明の目地材（ジョイナー）Ａを示す。この目地材Ａは、鋼板製の折り曲げ加工成型品やアルミニウム製の押出成形品や塩化ビニル樹脂などの合成樹脂の押出成形品等で横方向に長尺に形成されるものである。また、目地材Ａは、固定片２と脚片３とシール受け片４とを備えて形成されている。固定片２は正面視で横長の矩形板状に形成されている。脚片３は平面視で横長の矩形板状に形成されるものである。また、脚片３には上下方向（厚み方向）に貫通する複数の通気孔５、５…が横方向に並んで形成されている。脚片３は固定片２の前面の上下方向の略中央部から前方に向かって突設されている。シール受け片４は正面視で横長の矩形板状に形成されているが、固定片２よりも細長くて上下幅が小さく形成されている。また、シール受け片４は脚片３の前端に設けられており、シール受け片４の裏面の上下方向の略中央部と脚片３の前端とが連接されている。
【００１５】
上記の目地材Ａを用いて外壁を形成するにあたっては、次のようにして行う。まず、図２に示すように、壁下地１の表面（屋外側面）に目地材Ａを取り付ける。ここで、壁下地１は柱１３などであって、その表面側（屋外側）には透湿防水シート１０が配設されている。また、透湿防水シート１０を介して目地材Ａの固定片２を壁下地１の表面（屋外面）に配置して釘やビスなどの固定具で留め付けて固定し、目地材Ａは横方向に長く配設する。
【００１６】
次に、目地材Ａの上側と下側に横胴縁１１を取り付ける。横胴縁１１は木製角材等で横長に形成されるものであって、透湿防水シート１０を介して目地材Ａの固定片２を壁下地１の表面（屋外面）に配置して釘やビスなどの固定具で留め付けて固定する。尚、横胴縁１１は、横方向に複数本並べて配置されており、図３に示すように、横方向に隣り合う横胴縁１１、１１の側端面の間には通気用の間隙１２が設けられている。また、長尺の横胴縁１１の代わりに、短尺のスペーサを用いてもよい。次に、壁下地１の表面側に複数枚の外装材７、７…を配設する。外装材７はサイディング材等であって、板状に形成されており、上記横胴縁１１に釘やビスなどの固定具で固定する。また、目地材Ａを挟んで上下に隣接する外装材７、７は、上側の外装材７の下端面と下側の外装材７の上端面との間に目地材Ａのシール受け片４を位置させるようにする。これにより、上側の外装材７の下端面と下側の外装材７の上端面との間に形成される隙間（横目地）８にシール受け片４を配設することができる。また、外装材７と透湿防水シート１０との間には通気層６を形成することができる。この通気層６は通気を確保するための空間であって、上記の間隙１２により外壁の上下全体にわたって形成されている。次に、シール受け片４の表面側（屋外側）において隙間８の全長にわたってシーリング材９を充填する。
【００１７】
本発明の目地材Ａは外壁の上部において見切り縁の代わりに使用することができる。図４に示すように、外壁の上部は、柱１３の上に梁１４を設け、梁１４の上に母屋１５を設け、母屋１５の上に野地板１６を配設すると共に野地板１６の上に複数枚の屋根材１７、１７…を葺設することによって、屋根が形成されている。また、梁１４の屋外側において母屋１６の下側には桟材１８が設けられており、その桟材１８に役物１９として軒天井板が取り付けられている。そして、上記と同様にして目地材Ａを柱１３の表面側に配置する。この目地材Ａのシール受け片４は役物（軒天井板）１９の直ぐ下側に配置される。次に、上記と同様にして、目地材Ａの下側に横胴縁１１を配設する。この場合も上記と同様に横方向に隣り合う横胴縁１１、１１の端面の間には間隙１２が形成されている。次に、上記と同様にして横胴縁１１に外装材７を固定して壁下地１の表面側（屋外側）に外装材７を配設する。このとき、隣接する外装材７と役物１９との間に目地材Ａのシール受け片４を介在させ、外装材７の上端面と役物１９の下面との間に形成される隙間８にシール受け片４を位置させる。この後、シール受け片４の表面側（屋外側）において隙間８の全長にわたってシーリング材９を充填する。
【００１８】
上記のように形成される外壁では、目地材Ａの通気孔５と横胴縁１１、１１間の間隙１２により通気層６の上下全長にわたって連通状態にすることができる。従って、目地材Ａによって空気の流通が妨げられることが無く、通気層６における通気性を確保することができるものである。
【００１９】
尚、役物１９としては、軒天井板、コーナー材、オーバーハング材等の壁下地１に設けられ、外装材７と共に通気層６を形成するものであればよい。
【００２０】
図５（ａ）（ｂ）に外壁構造の他例を示す。この実施の形態においては、役物１９である軒天井板を略水平に配置している他は図４のものと同様であり、目地材Ａの上方において、桟材１８と透湿防水シート１０との間に隙間２０を設けることによって、通気層６の上下の連通性を確保するようにしている。
【００２１】
図６（ａ）（ｂ）に外壁構造の他例を示す。図４、５のものでは外装材７を横張りにしたものであるが、図６のものでは外装材７を縦張りにしたものである。従って、外装材７の側端部に通気金具２１を係止し、透湿防水シート１０を介して通気金具２１を壁下地１にビス等の固定具２３で固定することによって、外装材７を壁下地１に取り付けるようにしている。尚、この例では、柱１３の屋外側に合板等の下地板２２を設けて壁下地１が形成されており、下地板２２の屋外面に透湿防水シート１０が貼り付けられている。その他の構成は図５のものと同様である。
【００２２】
図７（ａ）（ｂ）に外壁構造の他例を示す。この外壁構造は、外装材７を縦張りした場合において、上下に隣り合って配置される外装材７、７の間の隙間８にシーリング材９を充填するにあたって、シーリング材９のバックアップ材として上記目地材Ａを用いたものである。外装材７は上記と同様にして通気金具２１で壁下地１に取り付けられている。また、上側の外装材７の下端は縦張り用通気金具２４により支持されている。この縦張り用通気金具２４はビス等の固定具３０で壁下地１に取り付けられている。また、縦張り用通気金具２４には上下に貫通する通気孔２５が形成されており、この通気孔２５により通気層６の連通性が確保されている。そして、目地材Ａは縦張り用通気金具２４の下側において配設されている。その他の構成は図２のものと同様である。
【００２３】
尚、上記では横目地形成用のジョイナーとして本発明の目地材Ａを説明したが、本発明の目地材Ａは縦目地形成用のジョイナーとしても利用することができる。従って、縦目地と横目地に目地材Ａを兼用することができ、使い分けが不要となってコストダウンや施工の簡略化を図ることができるものである。
【図面の簡単な説明】
【００２４】
【図１】本発明の目地材の実施の形態の一例を示す斜視図である。
【図２】本発明の外壁構造の実施の形態の一例を示す一部の断面図である。
【図３】同上の施工途中を示す一部の斜視図である。
【図４】本発明の外壁構造の実施の形態の一例を示す一部の断面図である。
【図５】本発明の外壁構造の他の実施の形態の一例を示し、（ａ）は一部の断面図、（ｂ）は一部が破断した斜視図である。
【図６】本発明の外壁構造のさらに他の実施の形態の一例を示し、（ａ）は一部の断面図、（ｂ）は一部が破断した斜視図である。
【図７】本発明の外壁構造のさらに他の実施の形態の一例を示し、（ａ）は一部の断面図、（ｂ）は一部が破断した斜視図である。
【図８】従来例の一例を示し、一部が破断した斜視図である。
【図９】従来例の一例を示し、（ａ）は一部の断面図、（ｂ）は一部の斜視図である。
【図１０】従来例の一例を示し、（ａ）は一部の斜視図、（ｂ）は一部の断面図である。
【図１１】従来例の他例を示し、一部が破断した斜視図である。
【図１２】図１１に示す従来例の一部を示し、（ａ）は断面図、（ｂ）は斜視図である。
【図１３】従来例の他例を示し、一部が破断した斜視図である。
【図１４】図１３に示す従来例の一部を示し、（ａ）は断面図、（ｂ）は斜視図である。
【図１５】図１３に示す従来例の一部を示し、（ａ）は断面図、（ｂ）は斜視図である。
【符号の説明】
【００２５】
Ａ  目地材
１  壁下地
２  固定片
３  脚片
４  シール受け片
５  通気孔
６  通気層
７  外装材
８  隙間
９  シーリング材
１９  役物
【図１】
2010106638.tif 000003
【図２】
2010106638.tif 000004
【図３】
2010106638.tif 000005
【図４】
2010106638.tif 000006
【図５】
2010106638.tif 000007
【図６】
2010106638.tif 000008
【図７】
2010106638.tif 000009
【図８】
2010106638.tif 000010
【図９】
2010106638.tif 000011
【図１０】
2010106638.tif 000012
【図１１】
2010106638.tif 000013
【図１２】
2010106638.tif 000014
【図１３】
2010106638.tif 000015
【図１４】
2010106638.tif 000016
【図１５】
2010106638.tif 000017